(57)【特許請求の範囲】
【請求項１】
床板下の根太間に配置される床下断熱材を支持するための床下断熱材用固定具であって、
前記固定具は、前記根太の内部に埋没する埋没部と、
前記埋没部が挿入された根太の両側にある床下断熱材の下面に配置され、これらの床下断熱材を支える支持部と、
前記埋没部の最下部と該最下部よりも下方にある前記支持部とを繋ぐ後退部と、を有し、
前記埋没部は、前記根太の底面に差し込まれており、
前記後退部の長手方向の長さは、前記固定具によって支持される前記床下断熱材の厚みよりも小さいことを特徴とする固定具。
【請求項２】
前記支持部は、前記埋没部が挿入された根太の片側の床下断熱材を支える第１支持部と、他の片側の床下断熱材を支える第２支持部を有する請求項１に記載の固定具。
【請求項３】
前記埋没部と前記後退部と前記支持部とは、一体形成されたものである請求項１または２に記載の固定具。
【請求項４】
前記後退部には、前記埋没部の埋没深さを規制するストッパー部を有する請求項１〜３のいずれかに記載の固定具。
【請求項５】
前記埋没部には、前記ストッパー部よりも小さい抜け防止部が形成されている請求項４に記載の固定具。
【請求項６】
前記埋没部は、少なくとも２つ存在し、
前記２つの埋没部は、前記最下部において最も近接しており、埋没方向に向かって互いに離間している請求項１〜５のいずれかに記載の固定具。
【請求項７】
前記支持部と前記後退部との間に、前記固定具を前記根太に取付ける打込み部を備えており、
前記打込み部は円弧状であり、
該円弧の半径がｒ／５〜４ｒ／５（ｒは支持部又は後退部の肉厚）である請求項６に記載の固定具。
【請求項８】
床板と、該床板下の複数の根太と、該根太間に配置されている床下断熱材と、該床下断熱材を支持している請求項１〜７のいずれかに記載の固定具とを有する床下断熱構造。
【発明の詳細な説明】
【技術分野】
【０００１】
本発明は、床下の断熱改修工事等で使用する、床下断熱材を固定するための固定具に関する。
【背景技術】
【０００２】
木造建築物の床下構造は、大引きに対して直交する複数の根太が所定間隔で配置されており、それら複数の根太が床板を支持する構造である。この構造において、所定間隔で配置された根太の間には板状等の断熱材を設けることで、室内と室外との断熱が行なわれている。
【０００３】
当該断熱材としては、グラスウールやロックウール、アスベスト等の工業無機繊維を主材とした定形断熱材や、化学反応にて発泡させたポリスチレンボ−ド、ポリウレタンボード、イソシアヌレートボ−ド、フェノールボード等の定形の合成樹脂発泡体が一般的に用いられるが、最近では、グラスウール等の断熱材の下面に水蒸気の通過を確保するための透湿性不織布を付けた不織布付断熱材を用いることが知られている。
【０００４】
床下断熱材を床下側から固定するものとして、種々の床下断熱材用固定具が知られている。例えば、特許文献１には、根太に対して下方から装着される基体と、該基体の上端に一体的に連設されて断熱材を受止する受体とを備える断熱材保持具が開示されている。この保持具によれば、基体を根太に装着した際に、受体が根太の上面よりも断熱材の厚みに相当する寸法だけ下方に配置されることになる。そして、受体に断熱材を受止させた場合には、断熱材の上面と根太の上面とが略面一状態となり、しかも根太の上面には金具類等が何ら存在しないこととなり、上面に張り渡される床板は根太に対して確実に密着した状態を維持することになり、床鳴りの発生が効果的に防止されるといわれている。
【０００５】
特許文献１の記載によれば、床下断熱材用固定具の具体的構造として、基体の両側面部を平板状若しくは波形状とした上で、この両側面部に各々、固定部材（釘等）を挿通するための貫通孔を形成し、固定部材を貫通孔に挿通して根太に打ち込むことで、断熱材保持金具を固定部材によって確実に根太に固定支持できるといわれている。また、両側面部に各々、内方に突出する凸部を形成し若しくは下方が上方よりも内方に突出する複数の傾斜状凸部を形成することで、該断熱材保持金具の根太からの下方への脱落が凸部若しくは傾斜状凸部の作用によって確実に阻止されるといわれている。
【０００６】
また、特許文献２には、根太の下面に沿って受け部材を取付けると共に受け部材の両側の受け片を根太の幅方向の両側の側面より側方に突出させ、床暖房パネルの端縁の下面を受け片に載置し、根太の上面に直接フローリング材を載置してフローリング材を根太に固定する床暖房装置が開示されている。この床暖房装置によれば、フローリング材を根太に固定する時に、従来のように金属の部材が介在されることなくフローリング材を簡単且つ確実に固定できるとされている。
【先行技術文献】
【特許文献】
【０００７】
【特許文献１】実開平０４−０１１８５８号公報
【特許文献２】特開平１１−３０４１６８号公報
【発明の概要】
【発明が解決しようとする課題】
【０００８】
しかしながら、特許文献１の床下断熱材用固定具や特許文献２の固定構造は強度が十分ではなく、また、長期にわたる載荷によりクリープ変形が発生して耐荷重性が十分なものではなかった。また、最近、根太の床下方向における厚みに対して、断熱材の床下方向における厚みを大きくして断熱性能を向上させた床下断熱材を取付ける施工技術が検討されており、この場合、該床下断熱材を固定するための固定具は十分なものではなかった。
【０００９】
本発明は上記の事情に着目してなされたものであって、その目的は、床下の断熱改修工事等で使用する床下断熱材を簡単、且つ確実に固定するための固定具を提供することにある。
【課題を解決するための手段】
【００１０】
上記課題を解決し得た本発明の固定具は、床板下の根太間に配置される床下断熱材を支持するための床下断熱材用固定具であって、該固定具は、前記根太の内部に埋没する埋没部と、該埋没部が挿入された根太の両側にある床下断熱材の下面に配置され、これらの床下断熱材を支える支持部と、該埋没部の最下部と該最下部よりも下方にある該支持部とを繋ぐ後退部と、を有する点に特徴を有する。
【００１１】
本発明の固定具において、支持部は、埋没部が挿入された根太の片側の床下断熱材を支える第１支持部と、他の片側の床下断熱材を支える第２支持部を有することが好ましい。
【００１２】
本発明の固定具において、埋没部と後退部と支持部とは、一体形成されたものであっても良い。
【００１３】
本発明の固定具において、後退部には、埋没部の埋没深さを規制するストッパー部を有することが好ましい。
【００１４】
本発明の固定具において、埋没部には、ストッパー部よりも小さい抜け防止部が形成されていることが好ましい。
【００１５】
本発明の固定具において、埋没部は、少なくとも２つ存在し、該２つの埋没部は、最下部において最も近接しており、埋没方向に向かって互いに離間していることが好ましい。
【００１６】
本発明の固定具において、支持部と後退部との間に、固定具を根太に取付ける打込み部を備えており、該打込み部は円弧状であり、該円弧の半径がｒ／５〜４ｒ／５（ｒは支持部又は後退部の肉厚）であることが好ましい。
【００１７】
本発明の固定具を有する床下断熱構造において、床板と、該床板下の複数の根太と、該根太間に配置されている床下断熱材と、該床下断熱材を支持している固定具とを有していることが好ましい。
【発明の効果】
【００１８】
本発明の固定具によれば、根太の内部に埋没する埋没部と、該埋没部が挿入された根太の両側にある床下断熱材の下面に配置され、これらの床下断熱材を支える支持部と、該埋没部の最下部と該最下部よりも下方にある該支持部とを繋ぐ後退部とを有する構成であることから、該床下断熱材を簡単、且つ確実に固定することができる。さらに、該固定具を有する床下断熱構造は、耐震性に対する強度が十分であり、また、長期にわたる載荷によるクリープ変形の発生を抑え、耐荷重性を十分備えることができる。
【図面の簡単な説明】
【００１９】
【図１】本発明の実施の形態に係る固定具を有する床下断熱構造の断面図である。
【図２】本発明の実施の形態１に係る固定具を有する床下断熱構造の拡大断面図である。
【図３】本発明の実施の形態２に係る固定具を有する床下断熱構造の拡大断面図である。
【図４】本発明の実施の形態２に係る固定具を示す。（ａ）は断面図、（ｂ）は平面図である。
【図５】本発明の実施の形態３に係る固定具を有する床下断熱構造の拡大断面図である。
【図６】本発明の実施の形態３に係る固定具を示す。（ａ）は断面図、（ｂ）は斜視図である。
【発明を実施するための形態】
【００２０】
以下、図面を参照しつつ、本発明の実施の形態について説明する。以下の説明では、同一の部品には同一の符号を付してある。
【００２１】
本発明の固定具は、床板下の根太間に配置される床下断熱材を支持するためのものであり、該固定具は、該根太の内部に埋没する埋没部と、該埋没部が挿入された根太の両側にある床下断熱材の下面に配置され、これらの床下断熱材を支える支持部と、該埋没部の最下部と該最下部よりも下方にある該支持部とを繋ぐ後退部とを有する。本発明の固定具によれば、床下断熱材の固定を簡単な構成で、且つ確実に行なうことができる。さらに、該固定具を有する床下断熱構造は、耐震性に対する強度が十分であり、また、長期にわたる載荷によるクリープ変形の発生を抑え、耐荷重性を十分備えることができる。
【００２２】
また、本発明の固定具において、支持部は、埋没部が挿入された根太の片側の床下断熱材を支える第１支持部と、他の片側の床下断熱材を支える第２支持部を有することが好ましい。埋没部が挿入された根太の両側には床下断熱材が当接しており、それぞれ、該第１支持部と該第２支持部により該床下断熱材を支えることができることから、該床下断熱材の固定を確実に行なうことができる。
【００２３】
本発明の固定具は、埋没部と後退部と支持部とが一体形成されたものであることが好ましい。該一体形成された構成を有することで、長期にわたる載荷に起因する応力集中に対する強度をさらに向上させることができ、また、耐震性に対しても十分な強度を保つことができる。
【００２４】
本発明の固定具において、後退部には、埋没部の埋没深さを規制するストッパー部を有することが好ましい。該ストッパー部を有することで、振動・衝撃等による埋没部の抜けを防止すると共に、埋没部の埋没深さを所望の深さに調整することができ、種々の床下断熱材の構造に適用させることが可能となる。
【００２５】
また、本発明の固定具において、埋没部には、ストッパー部よりも小さい抜け防止部が形成されていることが好ましい。該抜け防止部を有することで、振動・衝撃等による埋没部の抜けを確実に防止することができる。
【００２６】
また、本発明の固定具において、埋没部は少なくとも２つ存在し、該２つの埋没部は、最下部において最も近接しており、埋没方向に向かって互いに離間していることが好ましい。埋没部が上記の構成を有することで、長期にわたる載荷に起因して発生する応力集中を分散させることができ、耐荷重性や耐震性をさらに向上させることができる。
【００２７】
また、本発明の固定具において、支持部と後退部との間に、該固定具を根太に取付ける打ち込み部を備えており、該打ち込み部は円弧状であり、該円弧の半径がｒ／５〜４ｒ／５（ｒは支持部又は後退部の肉厚）であることが好ましく、より好ましくは３ｒ／１０〜７ｒ／１０、更に好ましくは２ｒ／５〜３ｒ／５が良い。該円弧の半径がｒ／５以上の場合、例えば、該固定具の２つの埋没部が最下部において最も近接し、埋没方向に向かって互いに離間するような構成を容易に達成することができる。また、該円弧の半径が４ｒ／５以下の場合、打込み部をハンマー等で斜方に打ち込む際に、打込み焦点が絞りやすくなる。
【００２８】
さらに、本発明の固定具を有する床下断熱構造において、床板と、該床板下の複数の根太と、該根太間に配置されている床下断熱材と、該床下断熱材を支持している固定具から構成されていることが好ましい。該構成を有することで、耐震性に対する強度が十分であり、また、長期にわたる載荷によるクリープ変形の発生を抑え、耐荷重性を十分備えることができる。
【００２９】
以下、より詳細な具体例を説明するが、本発明は以下の具体例のみに限定されず、前・後記の趣旨に適合し得る範囲で変更を加えて実施することも可能であり、それらはいずれも本発明の技術的範囲に包含される。
【００３０】
図１に、本発明の固定具を有する床下断熱構造の断面図を示す。該床下断熱構造は、床板１下に配置された複数の根太２の間に複数の床下断熱材３を配置する構成であり、該床下断熱材３を床下側から支持するための固定具４を備えたものである。固定具４を設置することにより、根太２に隣接する２箇所の床下断熱材３を同時に支持することができる。
【００３１】
（実施の形態１）
図２に、本発明の実施の形態１に係る固定具４Ａを有する床下断熱構造の拡大断面図を示す。固定具４Ａは、根太２の内部に埋没する埋没部４Ａａと、埋没部４Ａａが挿入された根太２の両側にある床下断熱材３の下面に配置され、これらの床下断熱材３を支える支持部４Ａｂ（図２には、第１支持部４Ａｂ１、第２支持部４Ａｂ２を示す）と、埋没部４Ａａの最下部４Ａａｘと該最下部４Ａａｘよりも下方にある該支持部４Ａｂとを繋ぐ後退部４Ａｃとを有している。
【００３２】
埋没部４Ａａの形状としては、根太２の内部に確実、且つ、容易に嵌まり込むように、例えば図２に示す先端が針状のものや、ネジ状を有するものが好ましいが、特に限定されるものではない。材質としては、耐久性、防食性の観点からステンレス製、真鍮製が好ましい。
【００３３】
支持部４Ａｂの形状としては、床下断熱材３の下面に配置され、これらの床下断熱材３を支えることができるように、例えば図２に示す平板状のものや円板状が好ましいが、特に限定されるものではない。材質としては埋没部４Ａａと同様に、耐久性、防食性の観点からステンレス製、真鍮製が好ましい。
【００３４】
後退部４Ａｃの形状としては、埋没部４Ａａと支持部４Ａｂを確実に繋ぐことができるように、例えば図２に示す円柱状のものや、角柱状のものが好ましいが、特に限定されるものではない。材質としては埋没部４Ａａ、支持部４Ａｂと同様に、耐久性、防食性の観点からステンレス製、真鍮製が好ましい。
【００３５】
支持部４Ａｂは、図２に示すように、床下断熱材３の固定を確実に行なうことを考慮して、埋没部４Ａａが挿入された根太の片側の床下断熱材３を支える第１支持部４Ａｂ１と、他の片側の床下断熱材３を支える第２支持部４Ａｂ２を有しても良い。埋没部４Ａａが挿入された根太の両側には床下断熱材３が当接しており、それぞれ、該第１支持部４Ａｂ１と該第２支持部４Ａｂ２により該床下断熱材３を支えることができることから、該床下断熱材３の固定を確実に行なうことができる。
【００３６】
また、本発明の固定具４Ａは、長期にわたる載荷に基づく応力集中に対する強度をさらに向上させることを考慮して、埋没部４Ａａと後退部４Ａｃと支持部４Ａｂとが一体形成されたものでも良い。該一体形成された構成を有することで、長期にわたる載荷に基づく応力集中に対する強度をさらに向上させることができ、また、耐震性に対しても十分な強度を保つことができる。
【００３７】
（実施の形態２）
図３に、本発明の実施の形態２に係る固定具４Ｂを有する床下断熱構造の拡大断面図、図４に、本発明の実施の形態２に係る固定具４Ｂを示す。（ａ）は断面図、（ｂ）は平面図である。
【００３８】
実施の形態１と異なる点は、固定具４Ｂの後退部４Ｂｃには、埋没部４Ｂａの埋没深さを規制するストッパー部４Ｂａｓを有していることである。該ストッパー部４Ｂａｓを有することで、振動・衝撃等による埋没部４Ｂａの抜けを防止すると共に、埋没部４Ｂａの埋没深さを所望の深さに調整することができ、種々の床下断熱材３の構造に適用させることが可能となる。さらに、埋没部４Ｂａには、ストッパー部４Ｂａｓよりも小さい抜け防止部４Ｂａｐを形成させても良い。該抜け防止部４Ｂａｐを有することで、振動・衝撃等による埋没部の抜けを確実に防止することができる。
【００３９】
ストッパー部４Ｂａｓ、抜け防止部４Ｂａｐの形状としては、根太２に埋没する埋没部４Ｂａが振動・衝撃等によるずれや抜け落ちに対して確実に支えることができるように、例えば図３に示す平板状のものや円板状が好ましいが、特に限定されるものではない。材質としては埋没部４Ｂａと同様に、耐久性、防食性の観点からステンレス製、真鍮製が好ましい。
【００４０】
なお、図３、４に示した固定具４Ｂは、支持部４Ｂｂが埋没部４Ｂａ、後退部４Ｂｃと一体形性分離した形態となっているが、該固定具４Ｂに該支持部４Ｂｂ（図３、４には第１支持部４Ｂｂ１、第２支持部４Ｂｂ２を示す）が床下断熱材３の下面を支持する構成であれば、この形態に限定されるものではない。実施の形態１で説明したように、埋没部４Ｂａと後退部４Ｂｃと支持部４Ｂｂとが一体形成されたものと同様に、長期にわたる載荷に起因する応力集中に対する強度を保つことができ、また、耐震性に対しても十分な強度を保つことができる。
【００４１】
（実施の形態３）
図５に、本発明の実施の形態３に係る固定具４Ｃを有する床下断熱構造の拡大断面図、図６に、本発明の実施の形態３に係る固定具４Ｃを示す。（ａ）は断面図、（ｂ）は斜視図である。
【００４２】
実施の形態１と異なる点は、固定具４Ｃの埋没部４Ｃａは２箇所存在していることである。該２箇所の埋没部４Ｃａ１、４Ｃａ２は、最下部４Ｃａｘにおいて最も近接しており、埋没方向に向かって互いに離間している。このような構成を有することで、長期にわたる載荷に起因して発生する応力集中を緩和させることができ、耐荷重性や耐震性をさらに向上させることができる。
【００４３】
また、埋没部４Ｃａをハンマー等で斜方に打ち込みやすいようにするために、支持部４Ｃｂ（図５、６には第１支持部４Ｃｂ１、第２支持部４Ｃｂ２を示す）と後退部４Ｃｃ（図５、６には第１後退部４Ｃｃ１、第２後退部４Ｃｃ２を示す）との間に、固定具４Ｃを根太２に取付ける打込み部４Ｃｒ（図５、６には第１打込み部４Ｃｒ１、第２打込み部４Ｃｒ２を示す）が設けられている。該打込み部４Ｃｒは円弧状であり、該円弧の半径がｒ／５〜４ｒ／５（ｒは支持部又は後退部の肉厚）であることが好ましく、より好ましくは３ｒ／１０〜７ｒ／１０、更に好ましくは２ｒ／５〜３ｒ／５が良い。該円弧の半径がｒ／５以上の場合、例えば、該固定具の２つの埋没部が最下部において最も近接し、埋没方向に向かって互いに離間するような構成を容易に達成することができる。また、該円弧の半径が４ｒ／５以下の場合、打込み部をハンマー等で斜方に打ち込む際の打込み焦点を絞りやすい。なお、打込み部４Ｃｒの材質としては支持部４Ｃｂ、後退部４Ｃｃと同様に、耐久性、防食性の観点からステンレス製、真鍮製が好ましい。
【００４４】
なお、本発明の実施の形態で用いる床下断熱材３としては、例えば、グラスウールやロックウール、アスベスト等の工業無機繊維を主材とした定形断熱材や、化学反応にて発泡させたポリスチレンボ−ド、ポリウレタンボード、イソシアヌレートボ−ド、フェノールボード等の定形の合成樹脂発泡体を用いることができるが、伸縮性があって枠体間に密着した状態で挿入でき、材料コストや難燃性等の観点から無機繊維系断熱材（特にグラスウール、ロックウール）を用いることが好ましい。
【００４５】
なお、グラスウールやロックウールの規格について、特に限定されるものではないが、柔軟性を有し自己保形性を有することを考慮して、以下の密度のものを用いることが好ましい。グラスウールの密度としては、１０〜４０ｋｇ／ｍ３のものを用いることが好ましく、より好ましくは、１４〜３６ｋｇ／ｍ３、さらに好ましくは１６〜３２ｋｇ／ｍ３が良い。また、ロックウールの密度としては、２５〜１００ｋｇ／ｍ３のものを用いることが好ましく、より好ましくは、３５〜８５ｋｇ／ｍ３、さらに好ましくは４５〜７０ｋｇ／ｍ３が良い。
【符号の説明】
【００４６】
１      床板
２      根太
３      床下断熱材
４      固定具
４Ａ    固定具
４Ｂ    固定具
４Ｃ    固定具
４Ａａ    埋没部
４Ｂａ    埋没部
４Ｃａ    埋没部
４Ｃａ１    第１埋没部
４Ｃａ２    第２埋没部
４Ａｂ      支持部
４Ｂｂ      支持部
４Ｃｂ      支持部
４Ａｂ１    第１支持部
４Ａｂ２    第２支持部
４Ｂｂ１    第１支持部
４Ｂｂ２    第２支持部
４Ｃｂ１    第１支持部
４Ｃｂ２    第２支持部
４Ａｃ      後退部
４Ｂｃ      後退部
４Ｃｃ      後退部
４Ｃｃ１    第１後退部
４Ｃｃ２    第２後退部
４Ａａｘ  最下部
４Ｂａｓ  ストッパー部
４Ｂａｐ  抜け防止部
４Ｃｒ    打込み部
４Ｃｒ１    第１打込み部
４Ｃｒ２    第２打込み部
【図１】
0006727822.tif 000002
【図２】
0006727822.tif 000003
【図３】
0006727822.tif 000004
【図４】
0006727822.tif 000005
【図５】
0006727822.tif 000006
【図６】
0006727822.tif 000007